(57)【要約】    【課題】      受信信号にＲＡＫＥ受信を行った方がよいのか、適応等化器や干渉キャンセラ等を用いて適応受信を行った方がよいのか、その判断を容易ならしめるジオメトリをマルチパスの形成されている伝搬環境下で簡便に生成できる方法等を提供すること。    【解決手段】  受信信号に含まれる干渉信号の電力をパス毎に測定し、測定されたパス毎の干渉信号電力をＮパス分合算し、前記受信信号に含まれるパス以外の干渉信号の電力を測定し、前記パス以外の干渉信号電力をＮ倍した値から前記パス毎の干渉信号電力をＮパス分合算した合算値を差し引くことによって自セル干渉信号電力を算出し、前記パス以外の干渉信号電力から前記自セル干渉信号電力を差し引くことによって他セル干渉信号とノイズとの電力の合算値を算出し、前記自セル干渉信号電力を前記他セル干渉信号とノイズとの電力の合算値で除することによってジオメトリを算出する。  【選択図】      図２
2005303952.tif 000002
【特許請求の範囲】
【請求項１】
セルラー方式の無線通信システムにおける無線受信装置によって使用されるジオメトリ測定方法であって、
受信信号に含まれる干渉信号の電力をパス毎に測定する干渉信号電力測定ステップと、
測定されたパス毎の干渉信号電力をＮパス分合算する合算ステップと、
前記受信信号に含まれるパス以外の干渉信号の電力を測定するパス以外干渉信号電力レベル測定ステップと、
測定された前記パス以外の干渉信号電力をＮ倍した値から前記合算ステップでの合算結果を差し引くことによって自セル干渉信号電力を算出する自セル干渉信号電力算出ステップと、
測定された前記パス以外の干渉信号電力から算出された前記自セル干渉信号電力を差し引くことによって他セル干渉信号とノイズとの電力の合算値を算出する他セル干渉信号・ノイズ電力算出ステップと、
算出された前記自セル干渉信号電力を算出された前記他セル干渉信号とノイズとの電力の合算値で除することによってジオメトリを算出するジオメトリ算出ステップと、
を具備することを特徴とするジオメトリ測定方法。
【請求項２】
セルラー方式の無線通信システムにおける無線受信装置であって、
受信信号に含まれる干渉信号の電力をパス毎に測定し、測定されたパス毎の干渉信号電力をＮパス分合算し、前記受信信号に含まれるパス以外の干渉信号の電力を測定し、前記パス以外の干渉信号電力をＮ倍した値から前記パス毎の干渉信号電力をＮパス分合算した合算値を差し引くことによって自セル干渉信号電力を算出し、前記パス以外の干渉信号電力から前記自セル干渉信号電力を差し引くことによって他セル干渉信号とノイズとの電力の合算値を算出し、前記自セル干渉信号電力を前記他セル干渉信号とノイズとの電力の合算値で除することによってジオメトリを算出するジオメトリ算出手段、
を具備することを特徴とする無線受信装置。
【請求項３】
前記ジオメトリ算出手段によって算出されたジオメトリに基づいて前記受信信号に対する受信方式を判定する受信方式判定手段と、
前記受信方式判定手段によって判定された受信方式で前記受信信号を処理する受信信号処理手段と、
をさらに具備することを特徴とする請求項２記載の無線受信装置。
【請求項４】
基地局総送信電力に占める希望信号電力の割合を推定する推定手段をさらに具備し、
前記受信方式判定手段は、前記推定手段による推定結果と前記ジオメトリ算出手段によって算出されたジオメトリとに基づいて前記受信信号に対する受信方式を判定する、
ことを特徴とする請求項３記載の無線受信装置。
【請求項５】
前記受信信号の受信品質を測定する受信品質測定手段と、
前記受信信号におけるマルチパス干渉量を算出する干渉量算出手段と、
前記ジオメトリ算出手段によって算出されたジオメトリと算出されたマルチパス干渉量とに応じて、測定された前記受信品質を適応受信後の受信品質に変換する変換手段と、
を具備することを特徴とする請求項２又は請求項３記載の無線受信装置。
【請求項６】
請求項３〜５のいずれか１項に記載の無線受信装置を具備することを特徴とする移動局装置。
【発明の詳細な説明】
【技術分野】
【０００１】
本発明は、ＨＳＤＰＡ(High Speed Downlink Packet Access)等によるセルラー方式の無線通信システムにおける無線受信装置及び移動局装置、並びにこれらの装置において使用されるジオメトリ測定方法に関する。
【背景技術】
【０００２】
移動体通信システムにおけるアクセス方式として、Ｗ−ＣＤＭＡ(Wideband-Code Division Multiple Access)方式が標準化されている。Ｗ−ＣＤＭＡ方式では、下り回線の高速化を目的にＨＳＤＰＡの導入が検討されている。また、ＨＳＤＰＡでは、移動局装置における受信品質に応じて、基地局装置が送信信号の変調方式及び符号化率を適応的に調節する適応変調が用いられる。
【０００３】
この適応変調では、移動局装置における受信品質が良好な場合には、例えば変調方式を１６ＱＡＭ（Quadrature Amplitude Modulation）、かつ、符号化率を１／２としてスループットを改善し、一方でその受信品質が劣悪な場合には、例えば変調方式をＱＰＳＫ（Quadrature Phase Shift Keying）、かつ、符号化率を１／３としてスループットの低下と引き換えに受信誤り率を改善する。このように、適応変調においてスループットを改善する場合には、信号間の距離の短い変調方式、かつ、冗長性の低い符号化率を使用することになるため、スループットに干渉信号やノイズによる影響が現れ易くなる。そこで、適応変調において、適応等化器や干渉キャンセラの導入が検討されている。適応等化器は、伝搬路特性を推定し、推定した伝搬路特性と逆の特性を適応フィルタによって受信信号に形成して受信信号を等化することにより、受信信号における干渉信号の影響を軽減する。また、干渉キャンセラは、干渉源となる信号成分を推定し、その成分（干渉信号）を減算することにより、受信信号における干渉信号の影響を軽減する。
【０００４】
適応変調では、受信品質を図る尺度として、受信信号における希望信号電力対干渉電力比即ちＳＩＲ(Signal to Interference Ratio)が一般に用いられる。ＳＩＲの測定方式としては、ＲＡＫＥ合成後のＳＩＲ測定方式とＲＡＫＥ合成前のＳＩＲ測定方式とがある。これらの方式では、受信信号に含まれる既知シンボルを用いてＳＩＲを測定する。具体的には、ＲＡＫＥ合成後のＳＩＲ測定方式では、ＲＡＫＥ合成後の受信信号に含まれる既知シンボルの電力を測定し、測定された既知シンボルの電力を平均化して希望信号電力(ＲＳＣＰ：Received Signal Code Power)を算出し、その希望信号電力と各既知シンボルの電力とから分散を算出してこれを干渉信号電力(ＩＳＣＰ：Interference Signal Code Power)として、ＲＳＣＰとＩＳＣＰとの比をＳＩＲとする。一方、ＲＡＫＥ合成前のＳＩＲ測定方式では、ＲＡＫＥ合成前の既知シンボルを逆拡散してその逆拡散値を求め、パス毎に逆拡散値の平均及び逆拡散値の分散を算出し、算出されたパス毎の逆拡散平均値の和を希望信号電力(ＲＳＣＰ)とし、算出されたパス毎の分散の平均値を干渉信号電力(ＩＳＣＰ)として、ＲＳＣＰとＩＳＣＰとの比をＳＩＲとする。
【０００５】
以下、ＲＡＫＥ合成後のＳＩＲ測定方式について、数式を用いて説明する。先ず、受信信号に含まれる既知シンボルを逆拡散して、同期検波及びＲＡＫＥ合成を行う。このとき、パス毎の同期検波係数h[p].i ,h[p].qは、下記式（１）、式（２）のように、シンボル毎の逆拡散値を象限補正することによって求められる。
【数１】
2005303952.tif 000003
【数２】
2005303952.tif 000004
【０００６】
ＲＡＫＥ合成後の既知シンボルの電力の各成分Rx[n].i ,Rx[n].qは、下記式（３），式（４）によって求められる。
【数３】
2005303952.tif 000005
【数４】
2005303952.tif 000006
【０００７】
次に、ＲＳＣＰを算出する。スロット毎のＲＳＣＰの測定結果ｒｓｃｐは、ＲＡＫＥ合成後の既知シンボルの電力の平均として、下記式（５）、式（６）によって求められる。
【数５】
2005303952.tif 000007
【数６】
2005303952.tif 000008
【０００８】
これにより、ＲＳＣＰの測定結果は、下記式（７）によって求められる。
【数７】
2005303952.tif 000009
【０００９】
次に、ＩＳＣＰを測定する。ＩＳＣＰの各成分iscp[n].i ,iscp[n].qは、ＲＡＫＥ合成後の既知シンボルの電力とそのスロット毎の平均との差分から、式（８）、式（９）によって求められる。
【数８】
2005303952.tif 000010
【数９】
2005303952.tif 000011
【００１０】
これにより、スロット毎のＩＳＣＰは、下記式（１０）によって求められる。
【数１０】
2005303952.tif 000012
【００１１】
最後に、ＳＩＲを算出する。ＳＩＲは、式（７）、式（１０）によるＲＳＣＰ及びＩＳＣＰを用いて、下記式（１１）、式（１２）によって求められる。
【数１１】
2005303952.tif 000013
【数１２】
2005303952.tif 000014
【００１２】
次に、ＲＡＫＥ合成前のＳＩＲ測定方式について、数式を用いて説明する。受信信号に含まれる既知シンボルに対して逆拡散処理を行い、逆拡散処理後の既知シンボルの電力について象限補正を行う。各パスの象限補正後における既知シンボルの電力の各成分Sx[n][p].i ,Sx[n][p].q (n=1〜N)は、下記式（１３）、式（１４）によって求められる。
【数１３】
2005303952.tif 000015
【数１４】
2005303952.tif 000016
【００１３】
次に、象限補正された既知シンボルについて、そのＲＳＣＰを測定する。象限補正後の既知シンボルについて、その電力の各成分の平均であるrscp[p].i ,rscp[p].qは、下記式（１５）、式（１６）によって求められる。
【数１５】
2005303952.tif 000017
【数１６】
2005303952.tif 000018
【００１４】
これにより、パス毎のＲＳＣＰは、下記式（１７）によって求められる。
【数１７】
2005303952.tif 000019
【００１５】
そして、下記式（１８）のように、パス毎のＲＳＣＰ測定電力を加えることによって全体のＲＳＣＰが求められる。
【数１８】
2005303952.tif 000020
【００１６】
一方、象限補正後の既知シンボルの電力と、そのスロット毎の平均(パス毎のＲＳＣＰ)との差分より、ＩＳＣＰの各成分が求められる。即ち、ＩＳＣＰの各成分であるiscp[n][p].i ,iscp[n][p].qは、下記式（１９）、式（２０）によって求められる。
【数１９】
2005303952.tif 000021
【数２０】
2005303952.tif 000022
【００１７】
そして、下記式（２１）のように、複数スロットに渡って平均化することによってパス毎のＩＳＣＰが求められる。
【数２１】
2005303952.tif 000023
【００１８】
また、下記式（２２）のように、パス毎のＩＳＣＰを加えた総ＩＳＣＰをパス数で除すことによって全体のＩＳＣＰが求められる。
【数２２】
2005303952.tif 000024
【００１９】
最後にＳＩＲを算出する。ＳＩＲは、全体のＲＳＣＰ及び全体のＩＳＣＰを用いて、上記式（１１）、式（１２）によって求められる。
【００２０】
ところで、セルラー方式の無線通信システムでは、移動局装置等の無線受信装置の位置により、受信信号に含まれる希望信号電力と干渉信号電力との比が異なる。このような無線受信装置の位置に対応して変化するパラメータは、Ｗ−ＣＤＭＡ方式ではジオメトリ（geometry）と呼ばれることがある（非特許文献１参照）。なお、無線受信装置の位置に因らず、その受信信号に含まれるノイズの電力は凡そ安定している。
【非特許文献１】立川  敬二  監修，「Ｗ−ＣＤＭＡ移動通信方式」，丸善社，平成１３年６月２５日発行，ｐ．１９２−１９３
【発明の開示】
【発明が解決しようとする課題】
【００２１】
しかしながら、適応等化器や干渉キャンセラを導入すると、一般に自セル干渉が大きい場合には干渉低減効果が大きいものの、一方で他セルからの干渉やノイズが大きい場合には伝搬路推定誤差や干渉信号推定誤差を大きくしてしまい、却って受信性能が劣化する場合がある。そのため、自セル干渉が大きい場合には、適応等化器や干渉キャンセラを用いて受信し、他セルからの干渉やノイズが大きい場合には、従来のＲＡＫＥ受信を行った方が好ましい。ところが、従来のＳＩＲ測定方式では、例えばＩＳＣＰが大きく受信品質が低い場合に、そのＩＳＣＰが自セルからの干渉(マルチパス干渉)によるものなのか、他セルからの干渉やノイズ(熱雑音)等によるものなのか、その区別が付かない。つまり、従来のＳＩＲ測定方式では、ＲＡＫＥ受信を行った方がよいのか、適応等化器や干渉キャンセラを用いた方がよいのか、その判断がつかない問題がある。
【００２２】
また、Ｗ−ＣＤＭＡ方式におけるＨＳＤＰＡでは、適応変調を行うために、移動局装置が基地局装置に受信品質(ＳＩＲ相当値、例えばＣＱＩ：Channel Quality Indicator)を前もって報告する必要がある。しかし、従来のＲＡＫＥ受信を行った場合と、適応等化器や干渉キャンセラを用いた場合と、では、受信性能に差があるため、その受信品質(ＳＩＲ相当値)にも差が生じることになる。従って、上述のように伝搬環境により受信方式を変えるような場合即ちＲＡＫＥ受信と適応等化器や干渉キャンセラとを切り替えて使用する場合では、ＲＡＫＥ受信による受信品質と適応等化器や干渉キャンセラによる受信品質とのどちらの受信品質を送信した方が好ましいか、ＳＩＲ測定結果からでは判断がつかない。そのため、従来のＷ−ＣＤＭＡ方式におけるＨＳＤＰＡでは、適応変調が有効に機能しなくなるおそれがある。
【００２３】
そこで、移動局装置が常にＲＡＫＥ受信を想定した受信品質即ち適応等化器等を使用する場合でもＲＡＫＥ合成後に適応受信を行った受信品質を基地局装置に送信することも考えられる。しかし、それでは基地局装置に送信する受信品質が過剰品質となる。このような過剰品質の受信品質が移動局装置から基地局装置に送信されると、システムのリソース例えば基地局装置の送信電力等が過剰に消費されることとなり、システム容量に悪影響が出るため、移動局装置は基地局装置に必要十分な受信品質を報告する義務がある。また、仮に、移動局装置が基地局装置にどちらの受信品質を送信した方が好ましいか判断できたとしても、移動局装置において、基地局装置への受信品質報告用に適応等化器等を別途動作させる必要があり、移動局装置の消費電力が増大する問題がある。
【００２４】
本発明はかかる点に鑑みてなされたものであり、無線受信装置において、受信信号に対してＲＡＫＥ受信を行った方がよいのか、適応等化器や干渉キャンセラ等を用いて適応受信を行った方がよいのか、その判断を容易ならしめるパラメータ即ちジオメトリをマルチパスの形成されている伝搬環境下で簡便に生成できるジオメトリ測定方法、並びに適応変調を有効に機能させることのできる消費電力の少ない無線受信装置及び移動局装置を提供することを目的とする。
【課題を解決するための手段】
【００２５】
本発明に係るジオメトリ測定方法は、セルラー方式の無線通信システムにおける無線受信装置によって使用されるジオメトリ測定方法であって、受信信号に含まれる干渉信号の電力をパス毎に測定する干渉信号電力測定ステップと、測定されたパス毎の干渉信号電力をＮパス分合算する合算ステップと、前記受信信号に含まれるパス以外の干渉信号の電力を測定するパス以外干渉信号電力レベル測定ステップと、測定された前記パス以外の干渉信号電力をＮ倍した値から前記合算ステップでの合算結果を差し引くことによって自セル干渉信号電力を算出する自セル干渉信号電力算出ステップと、測定された前記パス以外の干渉信号電力から算出された前記自セル干渉信号電力を差し引くことによって他セル干渉信号とノイズとの電力の合算値を算出する他セル干渉信号・ノイズ電力算出ステップと、算出された前記自セル干渉信号電力を算出された前記他セル干渉信号とノイズとの電力の合算値で除することによってジオメトリを算出するジオメトリ算出ステップと、を具備するようにした。
【００２６】
この方法によれば、受信信号の電力測定値のみに基づいてジオメトリが算出されるため、マルチパスの形成された伝搬環境下でもジオメトリを簡便に生成することができる。
【００２７】
本発明に係る無線受信装置は、セルラー方式の無線通信システムにおける無線受信装置であって、受信信号に含まれる干渉信号の電力をパス毎に測定し、測定されたパス毎の干渉信号電力をＮパス分合算し、前記受信信号に含まれるパス以外の干渉信号の電力を測定し、前記パス以外の干渉信号電力をＮ倍した値から前記パス毎の干渉信号電力をＮパス分合算した合算値を差し引くことによって自セル干渉信号電力を算出し、前記パス以外の干渉信号電力から前記自セル干渉信号電力を差し引くことによって他セル干渉信号とノイズとの電力の合算値を算出し、前記自セル干渉信号電力を前記他セル干渉信号とノイズとの電力の合算値で除することによってジオメトリを算出するジオメトリ算出手段、を具備する構成を採る。
【００２８】
この構成によれば、受信信号の電力測定値のみに基づいてジオメトリを生成するジオメトリ算出手段が具備されるため、簡素な構成で自セルからの電力と他セルからの電力及びノイズとを分離することができる。
【００２９】
本発明に係る無線受信装置は、前記発明において、前記ジオメトリ算出手段によって算出されたジオメトリに基づいて前記受信信号に対する受信方式を判定する受信方式判定手段と、前記受信方式判定手段によって判定された受信方式で前記受信信号を処理する受信信号処理手段と、をさらに具備する構成を採る。
【００３０】
この構成によれば、前記発明による効果に加えて、算出されたジオメトリに基づいて受信信号の受信方式が判定されるため、伝搬環境に因らず、最適な受信方式を選択することができ、受信品質を向上させることができる。
【００３１】
本発明に係る無線受信装置は、前記発明において、基地局総送信電力に占める希望信号電力の割合を推定する推定手段をさらに具備し、前記受信方式判定手段は、前記推定手段による推定結果と前記ジオメトリ算出手段によって算出されたジオメトリとに基づいて前記受信信号に対する受信方式を判定する、構成を採る。
【００３２】
この構成によれば、前記発明による効果に加えて、基地局総送信電力に占める希望信号電力の割合を推定する推定手段を具備するため、希望信号の送信電力の絶対量に因らず、最適な受信方式を選択することができ、受信品質を向上させることができる。
【００３３】
本発明に係る無線受信装置は、前記発明において、前記受信信号の受信品質を測定する受信品質測定手段と、前記受信信号におけるマルチパス干渉量を算出する干渉量算出手段と、前記ジオメトリ算出手段によって算出されたジオメトリと算出されたマルチパス干渉量とに応じて、測定された前記受信品質を適応受信後の受信品質に変換する変換手段と、を具備する構成を採る。
【００３４】
この構成によれば、前記発明による効果に加えて、変換手段によってＲＡＫＥ合成後の受信信号の受信品質が伝搬環境に応じて適応受信後の受信品質に変換されるため、適応変調に係る受信品質報告用に適応等化器等を別途動作させる必要がなくなり、消費電力を抑えつつ、高精度な受信品質報告が可能になる。
【００３５】
本発明に係る移動局装置は、前記発明に係る無線受信装置を具備する構成を採る。
【００３６】
この構成によれば、前記発明による効果に加えて、伝搬環境に因らず、最適な受信方式を簡素な構成によって選択できるため、その消費電力を抑えつつ、受信品質を向上させることができる。
【発明の効果】
【００３７】
本発明によれば、受信信号の電力測定値のみに基づいてジオメトリを算出するため、簡素な構成で自セルからの電力と他セルからの電力及びノイズとを分離することができ、その結果、伝搬環境に因らず、無線受信装置での消費電力を抑えつつ、その受信品質を向上させることができる。
【発明を実施するための最良の形態】
【００３８】
本発明の骨子は、マルチパスの形成された伝搬環境下における受信信号の電力測定値のみに基づいてジオメトリを算出することにより、適応等化器や干渉キャンセラ等による適応受信の効果を推測することである。
【００３９】
以下、本発明の実施の形態について、図面を参照しつつ詳細に説明する。
【００４０】
（実施の形態１）
図１に、セルラー方式の無線通信システムにおいて、受信信号の遅延プロファイルの一例を示す。この受信信号には、Ｎ個のパスが形成されているものとする。図１では、受信信号に形成されているパスが遅延プロファイルのピークとして表現されている。また、図１には、遅延プロファイルの特徴的な３つのピーク１〜３を構成する希望信号電力ＲＳＣＰ１〜３と干渉信号電力ＩＳＣＰ１〜３とが示されている。なお、図１は遅延プロファイルで表現されているため、遅延プロファイルのピーク１〜３の構成成分にはノイズは含まれていない。また、図１におけるＩＳＣＰＮ＋１のタイミングは、受信信号のパス以外の位相に対応する。
【００４１】
以下、本発明に係るジオメトリ測定方法について、受信信号の遅延プロファイルが図１である場合を例に、数式を用いて説明する。なお、本実施の形態では、Ｗ−ＣＤＭＡ方式による無線通信が行われるものとする。
【００４２】
受信信号におけるｉ番目のパスの総受信電力をＰｉとすると、ＩＳＣＰに含まれる成分は、以下のように表される。なお、iscp[i]は、前記式（２１）で求めたパス毎のＩＳＣＰである。また、ＳＦは、拡散率を示している。
iscp[1] = (1/SF)×{他セル干渉の総和+ノイズ+(自セル干渉の総和-P1)}
iscp[2] = (1/SF)×{他セル干渉の総和+ノイズ+(自セル干渉の総和-P2)}
・・・
iscp[N] = (1/SF)×{他セル干渉の総和+ノイズ+(自セル干渉の総和-PN)}
【００４３】
これらをＮパス分合計したものをISCPallとすると、ISCPallは次のように表される。
ISCPall = (N/SF)×(他セル干渉の総和+ノイス゛)+(N/SF)×自セル干渉の総和-(Pl+P2…+PN)
= (N/SF)×(他セル干渉の総和+ノイス゛)+{(N-1)/SF}×自セル干渉の総和
【００４４】
一方、パス以外の位相で測定したＩＳＣＰは、以下のように表される。
ISCPN+1 = (1/SF)×(他セル干渉の総和+ノイズ+自セル干渉の総和)
【００４５】
これらの計算結果を以下のように利用することにより、自セル干渉電力の総和を求めることができる。
N・ISCPN+1-ISCPall = (1/SF)×自セル干渉の総和
自セル干渉の総和 = SF(N・ISCPN+1-ISCPall)
【００４６】
したがって、(他セル干渉+ノイズ)も、以下のようにして求めることができる。
ISCPN+1-1/SF・自セル干渉の総和 = 1/SF・(他セル干渉の総和+ノイズ)
(他セル干渉の総和+ノイズ) = SF・ISCPN+1-自セル干渉の総和
= SF・{ISCPall+(N-1)ISCPN+1}
【００４７】
この結果、ジオメトリ（Geometry）は、下式で表される。
Geometry = 自セル干渉の総和/(他セル干渉の総和+ノイズ)
= (N・ISCPN+1-ISCPall)/{ISCPall+(N-1)ISCPN+1}
【００４８】
また、各ＩＳＣＰ、ＲＳＣＰの測定タイミングは、揃っていなければならない。その測定タイミングが異なると、自セル及び他セルの送信電力が変わり、ＩＳＣＰ及びＲＳＣＰを正しく求めることができないからである。
【００４９】
なお、ISCPN+1の代わりに、無線受信装置の入力端で測定した総受信電力を用いてもよい。この場合、自セル干渉の総和を求めるために、ISCPN+1をパス数（Ｎ）倍する必要はない。
【００５０】
図２は、本実施の形態に係る無線受信装置２００の構成を示すブロック図である。無線受信装置２００は、セルラー方式の無線通信システムにおける携帯電話等の移動局装置に搭載されて使用される。
【００５１】
無線受信装置２００は、アンテナ２０１、無線受信部２０２、パスサーチ部２０３、複数の逆拡散部２０４、ジオメトリ算出部２０５、受信方式判定部２０６、復調部２０７及び復号部２０８を具備する。
【００５２】
無線受信部２０２は、アンテナ２０１による受信信号に対してダウンコンバート等の通常の無線受信処理を行い、無線受信処理後の受信信号をパスサーチ部２０３及び複数の逆拡散部２０４にそれぞれ入力する。
【００５３】
パスサーチ部２０３は、無線受信部２０２から入力されてくる受信信号から遅延プロファイルを作成し、この遅延プロファイルのピークを検出することによって逆拡散するタイミングを選択する。そして、パスサーチ部２０３は、選択した複数のタイミングを複数の逆拡散部２０４にそれぞれ通知する。
【００５４】
逆拡散部２０４は、受信信号のパス数Ｎ以上設けられており、パスサーチ部２０３からの通知を受けたときに動作する。逆拡散部２０４は、無線受信部２０２から入力されてくる受信信号に対して、パスサーチ部２０３から通知されたタイミングで逆拡散を行い、逆拡散後の受信信号をジオメトリ算出部２０５及び復調部２０７にそれぞれ入力する。
【００５５】
ジオメトリ算出部２０５は、逆拡散部２０４から入力されてくる受信信号に対して、上述の式（１）〜式（２２）で示された演算を行うことにより、ジオメトリを算出する。そして、ジオメトリ算出部２０５は、算出したジオメトリを受信方式判定部２０６に入力する。
【００５６】
受信方式判定部２０６は、ジオメトリ算出部２０５から入力されてくるジオメトリと既定の閾値とを比較することにより、復調部２０７に実行させる受信方式を判定し、その判定結果を復調部２０７に通知する。具体的には、受信方式判定部２０６は、ジオメトリが既定の閾値以上であれば、受信信号にノイズがあまり含まれていないと判定して、受信信号に対して適応等化器等による適応変調を行うように指示する。一方で、受信方式判定部２０６は、ジオメトリが既定の閾値未満であれば、受信信号にノイズが多く含まれていると判定して、受信信号に対して適応等化器等による適応変調を行なわないように指示する。
【００５７】
復調部２０７は、複数の受信回路例えばＲＡＫＥ受信器と適応等化器とを具備し、受信方式判定部２０６からの指示に従い、逆拡散部２０４から入力されてくる受信信号を前記いずれかの受信回路に入力する。そして、復調部２０７は、その受信回路によって処理された受信信号を復調した後に、復調した受信信号を復号部２０８に入力する。従って、復調部２０７は、本発明に係る受信信号処理手段として機能する。
【００５８】
復号部２０８は、復調部２０７から入力されてくる受信信号を復号して受信データを生成し、生成した受信データを図示しないベースバンド部等に入力する。
【００５９】
このように、本実施の形態によれば、受信信号の電力測定値のみに基づいてジオメトリが算出されるため、マルチパスの形成された伝搬環境下でもジオメトリを簡便に生成することができる。
【００６０】
また、本実施の形態に係る無線受信装置２００によれば、ジオメトリ算出部２０５が受信信号の電力測定値のみに基づいてジオメトリを生成するため、簡素な構成で自セルからの電力と他セルからの電力及びノイズとを分離することができる。
【００６１】
また、本実施の形態に係る無線受信装置２００によれば、ジオメトリ算出部２０５によって算出されたジオメトリに基づいて、受信方式判定部２０６において受信信号に対する受信方式が判定されるため、伝搬環境に因らず、最適な受信方式を選択することができ、受信品質を向上させることができる。
【００６２】
また、本実施の形態に係る移動局装置によれば、伝搬環境に因らず、最適な受信方式を簡素な構成からなる無線受信装置２００によって選択できるため、その消費電力を抑えつつ、受信品質を向上させることができる。
【００６３】
なお、本実施の形態について、以下のように変形したり、応用したりしてもよい。本実施の形態において、自セルの総受信電力（自セル干渉の総和）と従来のＳＩＲ測定方式で求められるＲＳＣＰとを用いることにより、基地局総送信電力に占める希望信号電力の割合（Ｅｃ／Ｉｏｒ）を求めることができる。そして、このＥｃ／Ｉｏｒに基づいて、受信方式判定部２０６が復調部２０７における受信方式を判定するようにしてもよい。例えば、Ｅｃ／Ｉｏｒが所定の閾値以下であれば、干渉キャンセラをＯＦＦにし、ＲＡＫＥ受信するようにする。
【００６４】
また、本実施の形態において、受信方式判定部２０６がＥｃ／Ｉｏｒ及びジオメトリの合算値と所定の閾値とを比較して、復調部２０７における受信方式を判定するようにしてもよい。このようにすれば、希望信号の送信電力の絶対量に因らず、最適な受信方式を選択することができ、受信品質を向上させることができる。
【００６５】
また、本実施の形態に係る無線受信装置２００では、逆拡散部２０４と復調部２０７とを個別に設けたが、これらを複合的にひとつの受信回路で構成してもよい。
【００６６】
（実施の形態２）
図３は、本発明の実施の形態２に係る無線受信装置３００の構成を示すブロック図である。無線受信装置３００は、無線受信装置２００と同様に移動局装置に搭載されるものであり、適応変調のために受信品質情報を生成して基地局装置に送信するものである。無線受信装置３００は、無線受信装置２００における構成部に加えて、品質測定部３１１、マルチパス（ＭＰ）干渉量算出部３１２及び変換部３１３をさらに具備する。従って、無線受信装置３００は無線受信装置２００の各構成部と同様の機能を発揮する構成部を多く具備するため、このような同様の機能を発揮する構成部については、無線受信装置２００の各構成部と同じ参照符号を付して、その説明を省略する。
【００６７】
品質測定部３１１は、従来のＳＩＲ測定方式により、逆拡散部２０４から入力されてくる受信信号をＲＡＫＥ合成してＳＩＲを算出し、算出したＳＩＲを変換部３１３に入力する。
【００６８】
ＭＰ干渉量算出部３１２は、逆拡散部２０４から入力されてくる受信信号におけるマルチパス干渉量を測定する。具体的には、ＭＰ干渉量算出部３１２は、例えば「信号電力対マルチパス干渉電力比」をマルチパス干渉量の指標として、以下の式（２３）による演算を行うことによってマルチパス干渉量を算出する。そして、ＭＰ干渉量算出部３１２は、算出したマルチパス干渉量を変換部３１３に入力する。
【数２３】
2005303952.tif 000025
【００６９】
変換部３１３は、受信信号に対してＲＡＫＥ合成を行った場合と適応受信を行った場合とにおける受信品質の相違について、伝搬環境及びジオメトリと関連付けて評価したテーブル又は換算式を保持している。そして、変換部３１３は、ジオメトリ算出部２０５から入力されてくるジオメトリと、ＭＰ干渉量算出部３１２から入力されてくるマルチパス干渉量と、に基づいて保持しているテーブルを参照することにより、或いは保持している換算式にこれらを当てはめることにより、品質測定部３１１から入力されてくるＳＩＲから適応受信した場合の受信品質情報（ＳＩＲ）を生成する。そして、変換部３１３は、生成した受信品質情報を図示しないベースバンド部等に入力する。その後、この受信品質情報は、基地局装置に送信されて適応変調に利用される。
【００７０】
図４に、変換部３１３に保持されているテーブルの一例を示す。また、変換部３１３に保持されている換算式の一例を次に示す。なお、この換算式におけるα、βは、既定の定数である。
ＳＩＲ＝ＲＡＫＥ受信ＳＩＲ＋β（マルチパス干渉量×α・Geometry）
【００７１】
従って、本実施の形態によれば、変換部３１３によってＲＡＫＥ合成後の受信品質が伝搬環境に応じて適応等化器等による適応受信後の受信品質に変換されるため、適応変調に係る受信品質報告用に適応等化器等を別途動作させる必要がなくなり、移動局装置における消費電力を抑えることができると伴に、高精度な受信品質情報を基地局装置に報告することができる。
【００７２】
なお、本実施の形態について、以下のように変形したり、応用したりしてもよい。即ち、式（２３）を使用すると、伝搬環境が改善して１パスとなった場合に、ＳＩＲが無限大となってしまう。そこで、変換部３１３が式（２３）の逆数を受信品質情報として生成するようにしてもよい。
【００７３】
また、本実施の形態に係る無線受信装置３００では、無線受信装置２００における受信方式判定部２０６が明示されていないが、受信方式判定部２０６が具備されてもよい。
【００７４】
また、品質測定部３１１は、信号処理の負荷を軽減するために、受信信号の遅延プロファイルから各パスの電力を求めてもよい。
【００７５】
また、品質測定部３１１に保持されるテーブルは、ＲＡＫＥ受信によるＳＩＲからの改善量を示すものでも、また換算後のＳＩＲの絶対値を示すものでもよい。
【産業上の利用可能性】
【００７６】
本発明に係るジオメトリ測定方法、無線受信装置及び移動局装置は、簡素な構成で自セルからの電力と他セルからの電力及びノイズとを分離することができ、伝搬環境に因らず、移動局装置の消費電力を抑えつつ、その受信品質を向上させることができるという効果を有し、セルラー方式の無線通信システムで使用される携帯電話等として有用である。
【図面の簡単な説明】
【００７７】
【図１】本発明の実施の形態１に係る受信信号の遅延プロファイルの一例を示す図
【図２】本発明の実施の形態１に係る無線受信装置の構成を示すブロック図
【図３】本発明の実施の形態２に係る無線受信装置の構成を示すブロック図
【図４】本発明の実施の形態２における変換部に保持されているテーブルの一例を示す図
【符号の説明】
【００７８】
２００、３００  無線受信装置
２０１  アンテナ
２０２  無線受信部
２０３  パスサーチ部
２０４  逆拡散部
２０５  ジオメトリ算出部
２０６  受信方式判定部
２０７  復調部
２０８  復号部
３１１  品質測定部
３１２  マルチパス（ＭＰ）干渉量算出部
３１３  変換部
【図１】
2005303952.tif 000026
【図２】
2005303952.tif 000027
【図３】
2005303952.tif 000028
【図４】
2005303952.tif 000029